(57)【要約】【課題】それぞれ異なる周波数帯域を有する多様な電波信号を干渉することなく合成して出力できる通信コンポーネントを提供する。【解決手段】本発明の一側面に係る通信コンポーネントは、電波信号の入力を受ける複数の入力ポートと、前記入力ポートに入力された信号を合成して出力する出力ポートと、前記入力ポートと前記出力ポートが設置され、前記入力ポートと前記出力ポートの間に複数の電波移動経路が形成されるハウジングと、前記出力ポートと電気的に接続され、前記複数の電波移動経路の端部まで前記ハウジングの内部に延長され、前記電波移動経路を通過する複数の電波を一つに合成する出力バーと、を含むことができる。【選択図】図２
2020088832.tif 000002
【特許請求の範囲】
【請求項１】
電波信号の入力を受ける複数の入力ポートと、
前記入力ポートに入力された信号を合成して出力する出力ポートと、
前記入力ポートと前記出力ポートが設置され、前記入力ポートと前記出力ポートの間に複数の電波移動経路が形成されるハウジングと、
前記出力ポートと電気的に接続され、前記複数の電波移動経路の端部まで前記ハウジングの内部に延長され、前記電波移動経路を通過する複数の電波を一つに合成する出力バーと、
を含む、通信コンポーネント。
【請求項２】
前記電波移動経路に沿って誘電体共振器が列をなして複数個配置され、
前記電波移動経路の端部には末端共振器が設置され、
前記出力バーの側面は前記末端共振器と対向するように配置されることを特徴とする、請求項１に記載の通信コンポーネント。
【請求項３】
前記末端共振器は直六面体状に形成されて前記出力バーとの対向する部位が直線の形状に形成されることを特徴とする、請求項２に記載の通信コンポーネント。
【請求項４】
前記電波移動経路は４．５〜４．９ＧＨｚの周波数帯域を有する５Ｇ用電波信号が移動する第１電波移動経路と３．４〜４．２ＧＨｚの５Ｇ用電波信号が移動する第２電波移動経路を含み、
前記末端共振器は前記第１電波移動経路の末端に設置される第１末端共振器、前記第２電波移動経路の末端に設置される第２末端共振器を含み、
前記出力バーと前記第１末端共振器および前記第２末端共振器はオープンタイプで接続されることを特徴とする、請求項２に記載の通信コンポーネント。
【請求項５】
前記出力バーの前記第１末端共振器と対向する部位の長さ方向の断面積は、前記第２末端共振器と対向する部位の長さ方向の断面積より大きいことを特徴とする、請求項４に記載の通信コンポーネント。
【請求項６】
前記出力バーと前記第１末端共振器との間の間隙は、前記出力バーと前記第２末端共振器との間の間隙より大きいことを特徴とする、請求項４に記載の通信コンポーネント。
【請求項７】
前記電波移動経路は５Ｇ用高周波電波信号が移動する高周波電波移動経路と４Ｇ用電波信号が移動する低周波電波移動経路を含み、
前記末端共振器は前記高周波電波移動経路の末端に設置される高周波末端共振器、前記低周波電波移動経路の末端に設置される低周波末端共振器を含み、
前記出力バーと前記高周波末端共振器はオープンタイプで接続され、前記出力バーと前記低周波末端共振器はショートタイプで接続されることを特徴とする、請求項２に記載の通信コンポーネント。
【請求項８】
前記ハウジングは直六面体状を有し、
前記電波移動経路のうち少なくとも一つは前記ハウジングの入力ポートが設置された面から前記出力ポートが設置される面に向かって形成される直線と平行するように形成され、
前記電波移動経路のうち少なくとも他の一つは前記ハウジングの入力ポートが設置された面から前記出力ポートが設置される面に向かって形成される直線と平行するように形成されるものの、前記出力ポート側の端部から前記出力ポート側に折れ曲がった形状を有し、
前記電波移動経路のうち少なくとも一つの端部および前記電波移動経路のうち少なくとも他の一つの端部が前記出力バーの側面と対向できるように、前記出力バーは出力ポートが形成される面から前記入力ポートが設置される面に向かって形成される直線と平行するように延びる内側延長部と、前記出力ポートが形成される面から前記入力ポートが設置される面に向かって形成される直線と実質的に垂直に延びる横延長部と、を有し、
前記電波移動経路のうち少なくとも一つの端部は前記横延長部と対向し、前記電波移動経路のうち少なくとも他の一つの端部は前記内側延長部と対向することを特徴とする、請求項１に記載の通信コンポーネント。
【請求項９】
前記横延長部と前記内側延長部との間には折り曲げ部が形成され、
前記折り曲げ部は横断面が「⊂」の形状を有することを特徴とする、請求項８に記載の通信コンポーネント。
【発明の詳細な説明】
【技術分野】
【０００１】
本発明は、通信コンポーネントに関するものである。より詳細には、互いに異なる周波数を有する多数のＲＦ信号を一つのラインに伝達する通信コンポーネントに関するものである。
【背景技術】
【０００２】
信号合成用通信コンポーネントは、移動通信システムの基地局に使用され得る。この装置は、互いに異なる周波数を有する複数のＲＦ信号を一つのラインに集めて一つの伝送線路に伝達できるようにする。一つの線路に集まった多様な周波数の信号は、屋外のアンテナを通じて外部に伝達され得る。信号合成用通信コンポーネントを活用した方式は、周波数帯別に別途の線路およびアンテナを活用する方式よりも経済的で安定的である。
【０００３】
特許文献１（２０１６年４月４日公開）には、移動通信システムの多重帯域コンバイナーが開示される。この先行文献に開示されたように、多重帯域コンバイナーは、胴体１００の内部にチャネルフィルタ１１０、１２０、１３０、１４０、１５０、１６０が形成され、これを通じて互いに異なる多様な周波数帯域の信号がそれぞれ伝達される。この信号は、帯域結合部１７０で合流して外部に出力される。
【０００４】
デジタル移動通信の標準が２Ｇから５Ｇまで次第に進化するにつれて、移動通信速度、安定性および低遅延性が向上してきた。これを後押しするために、次第に高い周波数帯域を活用するようになってきた。一般に、４Ｇ  ＬＴＥは８５０ＭＨｚ、２．６ＧＨｚなどを活用し、５Ｇは３．５ＧＨｚ、２８ＧＨｚなどを活用する。現在は４Ｇが主に活用されるものの、移動通信機器に応じて２Ｇ、３Ｇ、５Ｇの標準によるシステムも同時代に活用されるため、一つの基地局システムが多様な周波数の信号を伝達しなければならない。
【０００５】
このように偏差の大きい周波数帯を有する多様な電波を一つに集める場合、電波間に干渉が発生し得る。すなわち、低い周波数の信号に所望しないハーモニック信号（高調波）が含まれ得るが、このハーモニック信号は、既存の信号周波数の倍数を有する周波数に複数個生成され得る。この低周波帯域信号から派生するハーモニック信号が高周波帯域信号と干渉を起こすため、高周波帯域信号が正常に伝送されなくなり得る。信号伝達線路が、伝達されるそれぞれの周波数に合うインピーダンスを有さないと、所望しないノイズの発生を防止することができない。電波が結合される部位の構造や形状を調整することによって、そのインピーダンスを正確に合わせてチューニングすることができる。
【先行技術文献】
【特許文献】
【０００６】
【特許文献１】韓国公開特許第２０１６−００３６２５８号公報
【発明の概要】
【発明が解決しようとする課題】
【０００７】
本発明の実施例は、それぞれ異なる周波数帯域を有する多様な電波信号を干渉することなく合成して出力できる通信コンポーネントを提供する。
【課題を解決するための手段】
【０００８】
本発明の一側面に係る通信コンポーネントは、電波信号の入力を受ける複数の入力ポートと、前記入力ポートに入力された信号を合成して出力する出力ポートと、前記入力ポートと前記出力ポートが設置され、前記入力ポートと前記出力ポートの間に複数の電波移動経路が形成されるハウジングと、前記出力ポートと電気的に接続され、前記複数の電波移動経路の端部まで前記ハウジングの内部に延長され、前記電波移動経路を通過する複数の電波を一つに合成する出力バーと、を含むことができる。
【０００９】
本発明の一側面に係る通信コンポーネントにおいて、前記電波移動経路に沿って誘電体共振器が列をなして複数個配置され、前記電波移動経路の端部には末端共振器が設置され、前記出力バーの側面は前記末端共振器と対向するように配置されることを特徴とする。
【００１０】
本発明の一側面に係る通信コンポーネントにおいて、前記末端共振器は直六面体状に形成されて前記出力バーとの対向する部位が直線の形状に形成されることを特徴とする。
【００１１】
本発明の一側面に係る通信コンポーネントにおいて、前記電波移動経路は４．５〜４．９ＧＨｚの周波数帯域を有する５Ｇ用電波信号が移動する第１電波移動経路と３．４〜４．２ＧＨｚの５Ｇ用電波信号が移動する第２電波移動経路を含み、前記末端共振器は前記第１電波移動経路の末端に設置される第１末端共振器、前記第２電波移動経路の末端に設置される第２末端共振器を含み、前記出力バーと前記第１末端共振器および前記第２末端共振器はオープンタイプで接続されることを特徴とする。
【００１２】
本発明の一側面に係る通信コンポーネントにおいて、前記出力バーの前記第１末端共振器と対向する部位の長さ方向の断面積は、前記第２末端共振器と対向する部位の長さ方向の断面積より大きいことを特徴とする。
【００１３】
本発明の一側面に係る通信コンポーネントにおいて、前記出力バーと前記第１末端共振器との間の間隙は、前記出力バーと前記第２末端共振器との間の間隙より大きいことを特徴とする。
【００１４】
本発明の一側面に係る通信コンポーネントにおいて、前記電波移動経路は、５Ｇ用高周波電波信号が移動する高周波電波移動経路と、４Ｇ用電波信号が移動する低周波電波移動経路を含み、前記末端共振器は、前記高周波電波移動経路の末端に設置される高周波末端共振器と、前記低周波電波移動経路の末端に設置される低周波末端共振器を含み、前記出力バーと前記高周波末端共振器は、オープンタイプで接続され、前記出力バーと前記低周波末端共振器はショートタイプで接続されることを特徴とする。
【００１５】
本発明の一側面に係る通信コンポーネントにおいて、前記ハウジングは直六面体状を有し、前記電波移動経路のうち少なくとも一つは前記ハウジングの入力ポートが設置された面から前記出力ポートが設置される面に向かって形成される直線と平行するように形成され、前記電波移動経路のうち少なくとも他の一つは前記ハウジングの入力ポートが設置された面から前記出力ポートが設置される面に向かって形成される直線と平行するように形成されるものの、前記出力ポート側の端部から前記出力ポート側に折れ曲がった形状を有し、前記電波移動経路のうち少なくとも一つの端部および前記電波移動経路のうち少なくとも他の一つの端部が前記出力バーの側面と対向できるように、前記出力バーは出力ポートが形成される面から前記入力ポートが設置される面に向かって形成される直線と平行するように延びる内側延長部と、前記出力ポートが形成される面から前記入力ポートが設置される面に向かって形成される直線と実質的に垂直に延びる横延長部と、を有し、前記電波移動経路のうち少なくとも一つの端部は前記横延長部と対向し、前記電波移動経路のうち少なくとも他の一つの端部は前記内側延長部と対向することを特徴とする。
【００１６】
本発明の一側面に係る通信コンポーネントにおいて、前記横延長部と前記内側延長部との間には折り曲げ部が形成され、前記折り曲げ部は横断面が「⊂」の形状を有することを特徴とする。
【発明の効果】
【００１７】
本発明によると、出力バーがハウジングの内部の複数の電波移動経路の端部まで延びるため、全体的なハウジングの大きさをコンパクトに小型化することができる。
【００１８】
本発明によると、高い周波数帯域の電波信号と低い周波数帯域の電波信号をノイズなしに合成することによって、周波数帯域が異なる多数の電波信号を同時に伝送することができる。
【図面の簡単な説明】
【００１９】
【図１】本発明の実施例に係る通信コンポーネントを示した斜視図。
【図２】本発明の実施例に係る通信コンポーネントを示した平面図。
【図３】本発明の実施例に係る通信コンポーネントの信号合成部を示した平面図。
【図４】本発明の実施例に係る通信コンポーネントの信号合成部を示した斜視図。
【図５】本発明の実施例に係る通信コンポーネントの出力バーを示した斜視図。
【発明を実施するための形態】
【００２０】
以下、本発明の実施例を添付された図面を参照して説明する。添付された図面は、本発明の例示的な形態を図示したものであって、これは本発明をより詳細に説明するために提供されるものに過ぎず、本発明の技術的な範囲はこれによって限定されるものではない。
【００２１】
また、図面符号にかかわらず、同一または対応する構成要素は同じ参照番号を付与し、これに対する重複説明は省略する。説明の便宜のために図示された各構成部材の大きさおよび形状は拡大または縮小され得る。
【００２２】
一方、第１または第２等のように序数を含む用語は、多様な構成要素の説明に使用され得るが、前記構成要素は前記用語によって限定されず、前記用語は一つの構成要素を他の構成要素から区別させる目的でのみ使用される。
【００２３】
図１は本発明の実施例に係る通信コンポーネント１を示した斜視図、図２は本発明の実施例に係る通信コンポーネント１を示した平面図、図３は本発明の実施例に係る通信コンポーネント１の信号合成部３５を示した平面図、図４は本発明の実施例に係る通信コンポーネント１の信号合成部３５を示した斜視図、図５は本発明の実施例に係る通信コンポーネント１の出力バー５０を示した斜視図である。
【００２４】
図１〜図２に図示された通り、本発明の実施例に係る通信コンポーネント１は、平たい直六面体状の本体ハウジング９を含む。ハウジング９の一側面には入力ポート３が形成され、入力ポート３の反対側面には出力ポート５が形成される。入力ポート３と出力ポート５には、ケーブル（図示されず）のような伝送線路が接続され得る。入力ポート３は複数個であり、出力ポート５は一つである。入力ポート３を通じてそれぞれ異なる周波数帯域の信号が入力され、これらが一つの信号に合成されて出力ポート５に出力される。
【００２５】
ハウジング９は、外部の電波が流入しないように密閉されるように形成され、電波遮蔽材料で構成される。ハウジング９の内部には、電波が進行する電波移動経路３７、３８、３９が形成される。それぞれの入力電波は別個の電波移動経路３７、３８、３９に沿って進行してから合成部３５で合成されて出力ポート５を通じてハウジング９の外部に伝達される。それぞれの電波移動経路３７、３８、３９は、互いに遮断されるように形成され、それぞれの信号が割り当てられた移動経路を通じて伝達されるように誘導する。このために、ハウジング９の内部には、複数の通路２が形成される。図２および図３は、このような通路２の具体的な形状を示すために、ハウジング９の上面壁の一部を切開して図示したものである。通路２は隔壁７で区画される。
【００２６】
電波移動経路３７、３８、３９を形成するハウジング９の内部通路２には、誘電体共振器４０が設置される。誘電体共振器４０は、電波移動経路３７、３８、３９に沿って一定の間隔を有するように配置される。誘電体共振器４０は、固有の共振周波数を有する。したがって、各電波移動経路３７、３８、３９に設置される誘電体共振器４０の共振周波数は、その電波移動経路３７、３８、３９を通り過ぎる電波の周波数に対応するように形成される。したがって、高い周波数帯域の信号が移動する電波移動経路３７、３８、３９には高い共振周波数を有する誘電体共振器４０が列をなして設置され、低い周波数帯域の信号が移動する電波移動経路３７、３８、３９には低い共振周波数を有する誘電体共振器４０が列をなして設置される。電波が誘電体共振器４０に沿って移動するため、電波移動経路３７、３８、３９を形成する通路２は、電波移動経路３７、３８、３９であると共にバンドパスフィルタとしての機能も有することになる。
【００２７】
図２に図示された実施例では、第１入力ポート３１を通じて４．５〜４．９ＧＨｚの周波数帯域を有する５Ｇ用電波信号（以下、「第１電波」という。）および３．４〜４．２ＧＨｚの５Ｇ用電波信号（以下、「第２電波」という。）が入力され、第１電波は第１電波移動経路３７に沿って、第２電波は第２電波移動経路３８に沿って合成部３５に伝達される。そして第２入力ポート３２を通じて０．８〜２．２ＧＨｚのＬＴＥ用電波信号（以下、「第３電波」という。）が入力され、第３電波は第３電波移動経路３９に沿って合成部３５に伝達される。
【００２８】
合成部３５は、多様な電波信号を一つに集め、この合成された電波を出力ポート５に誘導する。図２〜図３に図示された通り、合成部３５には出力バー５０が設置される。出力バー５０は、金属製の導体で形成され、「┐」の形状を有するように折れ曲がった形状を有する。出力バー５０の一側端は、出力ポート５と物理的かつ電気的に連結され、他側端はハウジング９の内部に延長される。
【００２９】
出力バー５０の側面は、第１電波移動経路３７、第２電波移動経路３８、第３電波移動経路３９の末端部に位置する。出力バー５０の側面、すなわち、第１電波移動経路３７、第２電波移動経路３８、第３電波移動経路３９の末端部には、第１末端共振器４１、第２末端共振器４２、第３末端共振器４３が設置される。各移動経路上に配置される誘電体共振器４０は、通常、円盤型や円筒形に形成されるが、末端共振器４１、４２、４３は上部が四角形に形成されて出力バー５０の直線部に対応する形状を有する。これによって出力バー５０に隣接する面の面積を広くして電波の移動を容易にすることができる。
【００３０】
電波移動経路３７、３８、３９は、ハウジング９の入力ポート３が形成される面から出力ポート５が形成される面まで直線方向に形成されるが、第１電波移動経路３７は、出力バー５０と接する末端部が出力ポート５側に垂直に折れ曲がるように形成される。図３〜図５を参照すると、出力バー５０は、出力ポート５から内側に、出力ポート５と一直線の形状に延びる内側延長部５１と内側延長部５１の終端で垂直方向に折れ曲がって延びる横延長部５９を有する。内側延長部５１と横延長部５９は一体に形成される。
【００３１】
図３を参照すると、内側延長部５１は、第１末端共振器４１と隣接して配置され、横延長部５９は、第２末端共振器４２と第３末端共振器４３の一側に隣接するように設置される。前述した通り、第１末端共振器４１が設置される第１電波移動経路３７の出力ポート５側の末端部が垂直に折れ曲がるように形成されるため、第１末端共振器４１は、出力バー５０の内側延長部５１に隣接して配置され得る。これとは反対に、第２電波移動経路３８と第３電波移動経路３９の末端部は、直線の形状に形成されるため、内側延長部５１で垂直に折れ曲がった出力バー５０の横延長部５９の一側面と第２末端共振器４２と第３末端共振器４３が対向するように形成され得る。このように、出力バー５０が出力ポート５から電波移動経路３７、３８、３９の末端部までハウジング９の内部に深く入ってくるため、合成部３５の体積を減らすことができる。すなわち、合成部３５を形成するためにハウジング９内に一定の空間を別途に配分し、その空間を信号の合成にのみ専用に活用する方式とは異なり、本実施例では電波移動経路３７、３８、３９と合成部３５が密着するようになるため、ハウジング９の全体の大きさをコンパクトにできる。
【００３２】
図４および図５を参照すると、第１末端共振器４１と出力バー５０の内側延長部５１は、対向した状態で一定の間隔離隔している。内側延長部５１の第１末端共振器４１と隣接する部位は、第１電波が流入する第１受信部５３として作用する。このように、金属導体ではなく空気を媒介として電波が伝達される接続方式をオープンタイプ（ｏｐｅｎ  ｔｙｐｅ）方式という。
【００３３】
第２末端共振器４２と横延長部５９もオープンタイプで接続される。このために出力バー５０の横延長部５９に第２受信部５６が形成される。その反面、第３末端共振器４３と横延長部５９は導体を通じて連結される。これをショートタイプ（ｓｈｏｒｔ  ｔｙｐｅ）方式という。横延長部５９の終端には第３末端共振器４３と金属導体を通じて連結される第３受信部５８が形成される。
【００３４】
電波の周波数が低い信号は、電波伝送路の全インピーダンス成分のうちインダクタンス成分が高いと通過し易く、キャパシタンス成分が高いと通過し難い。それとは反対に、高い周波数の信号は、インダクタンス成分が高いと通過し難く、キャパシタンス成分が高いと通過し易い。第３電波移動経路３９の第３末端共振器４３から出力バー５０に有線伝達される第３電波は第１電波および第２電波と比べて低周波数を有する。第２電波は第３電波と比べて高周波であり、第１電波は第２電波と比べて高周波である。
【００３５】
第３電波が伝送される第３末端共振器４３と第３受信部５８はショートタイプで接続されるため、伝送線路のインピーダンス成分のうちインダクタンス成分が比較的高くキャパシタンス成分は低い。したがって、第１電波および第２電波と比べて相対的に低い周波数を有する第３電波は、よく通過することができ、その他の高周波のノイズ成分は遮断され得る条件となる。
【００３６】
第１電波と第２電波は、インピーダンスのうちキャパシタンス成分が高いオープンタイプの伝送線路を通じて伝送されるため、ノイズ成分の遮断が容易である。第１受信部５３と第１末端共振器４１の間の間隙は、第２受信部５６と第２末端共振器４２の間の間隙よりも大きい。したがって、第１電波が伝送される経路のインピーダンスのうちキャパシタンス成分が第２電波伝送経路のキャパシタンス成分より大きくなる。相対的に高い周波数の信号が高いキャパシタンスを有する伝送線路を通じて伝送され、低い周波数の信号が低いキャパシタンスの伝送線路を通じて伝送される環境が構築される。したがって、ハーモニックなどのノイズ成分は遮断され、必要な周波数の電波が伝送され得る。
【００３７】
本実施例に係る通信コンポーネント１の出力バー５０は、このようにオープンタイプとショートタイプ接続構造を提供するプラットフォームとして機能することができる。出力バー５０が出力ポート５からハウジング９の内部に深く浸透して電波移動経路３７、３８、３９の終端まで延長され、また、オープンタイプとショートタイプの接続構造を容易に構築できるようになる。したがって、広い偏差の周波数帯域を有する信号をノイズなしに一つに集めて出力できるようになる。特に５Ｇ標準による高周波信号を既存の３Ｇや４Ｇ標準による信号らと同時に伝送する必要が高い状況で有用に活用され得る。
【００３８】
図４および図５を参照すると、出力バー５０の内側延長部５１一側端には、出力ポート５と接続されるポート接続部５２が形成される。ポート接続部５２が出力ポート５と接続されるため、出力バー５０に受信された電波信号が出力ポート５に沿って移動することができる。
【００３９】
内側延長部５１と横延長部５９の間には折り曲げ部５４が形成される。折り曲げ部５４は単純に内側延長部５１と横延長部５９が９０度の角度を有するように形成されるのではなく、まず第３受信部５８の反対方向に折れ曲がってから再び内側延長部５１と平行するように延びた後、再び第３受信部５８側に折れ曲がった「⊂」の形状を有する。それにより、単純に９０度に折れ曲がった場合と比べて、第２受信部５６と第２末端共振器４２が対向する面積を拡張でき、出力バー５０の全体的な剛性も向上し得る。
【００４０】
出力バー５０の断面は、全体的に直六面体状を有し、長さ方向に沿って部位により直六面体の高さが異なる。すなわち、第１受信部５３の高さが最も高く、第２受信部５６、第３受信部５８の順に高さが高い。第２受信部５６と第３受信部５８の間の部位は最も高さが低いため、最小の断面積を有する。前述した通り、伝送線路のキャパシタンスが高いと高い周波数帯域の電波信号の伝達に有利であるが、第２受信部５６より第１受信部５３の高さが高いため、第１受信部５３が高い周波数帯域の電波信号を伝達するのに有利である。第１受信部５３と第１末端共振器４１が向かい合う領域の横と縦の長さおよび面積は第２受信部５６と第２末端共振器が向かい合う領域の横と縦の長さおよび面積より広い。第１受信部５３と第１末端共振器４１の間の距離は第２受信部５６と第２末端共振器４２の間の距離より大きい。したがって、第１受信部５３が第２受信部５６と比べて高周波の信号を伝達するのに適合である。必要な周波数のみを通過させ残りの電波は遮断するために、精密なインピーダンスチューニングが必要である。出力バー５０の形状と材質が各信号に合うインピーダンスを正確に合わせることができるように設計され、最終の設置段階においても微細チューニングが行われ得る。微細チューニングは、すでに設置した出力バー５０の形状を微細に変形するか、片隅の一部を削り取るか切って除去する方式で行われ得る。
【００４１】
以上、本発明の実施例について説明したが、該当技術分野で通常の知識を有する者であれば特許請求の範囲に記載された本発明の思想から逸脱しない範囲内で、構成要素の付加、変更、削除または追加などによって、本発明を多様に修正および変更させることができ、これも本発明の権利範囲内に含まれるものと解釈されるべきである。
【符号の説明】
【００４２】
９：ハウジング
３７：第１電波移動経路
３８：第２電波移動経路
３９：第３電波移動経路
３５：合成部
４０：誘電体共振器
４１：第１末端共振器
４２：第２末端共振器
４３：第３末端共振器
５０：出力バー
５１：内側延長部
５３：第１受信部
５４：折り曲げ部
５６：第２受信部
５８：第３受信部
５９：横延長部
【図１】
2020088832.tif 000003
【図２】
2020088832.tif 000004
【図３】
2020088832.tif 000005
【図４】
2020088832.tif 000006
【図５】
2020088832.tif 000007